【事件の表示】
　特願２０１２−５４７４９１「チャネル状態情報フィードバック」拒絶査定不服審判事件〔平成２３年　７月１４日国際公開，ＷＯ２０１１／０８３０８１，平成２５年　５月１３日国内公表，特表２０１３−５１６８７８〕について，次のとおり審決する。
【結　論】
　本件審判の請求は，成り立たない。
【理　由】
第１　手続の経緯
　本願は，２０１１年１月６日（パリ条約による優先権主張外国庁受理　２０１０年１月８日　欧州特許庁）を国際出願日とする出願であって，平成２６年４月１０日付けで拒絶査定され，これに対し，同年７月１１日に拒絶査定に対する審判請求がなされるとともに同日付けで手続補正がなされたものである。その後，審査官が平成２６年８月７日付けで作成した前置報告書に対して，同年９月１１日に上申書が提出されている。
第２　補正却下の決定
［結論］
　平成２６年７月１１日付けの手続補正を却下する。
　
［理由］
１　平成２６年７月１１日付けの手続補正の概要
　平成２６年７月１１日付けの手続補正（以下，「本件補正」という。）は，平成２５年１２月１１日付けの手続補正により補正された特許請求の範囲の請求項１に記載された
「【請求項１】
　少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって，
　前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するステップと，
　前記特性値の集合を少なくとも１つのベクトルにアレンジするステップと，
　ベクトルの階層コードブックの各レベルのうちのいずれかである第１レベルで複数のコードブック・ベクトルのうちの１つを選択することによって前記少なくとも１つのベクトルを量子化するステップと，
　複数のコードブック・ベクトルのうちの前記１つへのインデックスの指示を前記第１ネットワーク・ノードに提供するステップと
　を含む方法。」
を
「【請求項１】
　少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって，
　前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するステップと，
　
前記複数のタップの各々の
　ベクトルの階層コードブックの各レベルのうちのいずれかである第１レベルで複数のコードブック・ベクトルのうちの１つを選択することによって
前記複数のタップの各々の前記特性値の集合がアレンジされた
　複数のコードブック・ベクトルのうちの前記１つへのインデックスの指示を前記第１ネットワーク・ノードに提供するステップと
　を含む方法。」
とすることを含むものである。（下線部は補正箇所を示す。）
２　補正の適否
（１）新規事項の有無，シフト補正の有無，目的要件等について
　本件補正は，本件補正前の「前記特性値の集合」を「
前記複数のタップの各々の
前記複数のタップの各々の前記特性値の集合がアレンジされた
　しかしながら，本件補正前の「前記特性値」は，その前段の「・・・前記チャネル内の少なくとも１つのサブチャネルの時間領域で分解可能な複数のタップの各々の特性値を判定するステップ」における「・・・複数のタップの各々の特性値」を意味しているのであるから，「
前記複数のタップの各々の
前記複数のタップの各々の前記特性値の集合がアレンジされた
　したがって，上記補正の目的は，特許法第１７条の２第５項第２号に掲げる「特許請求の範囲の減縮（第三十六条第五項の規定により請求項に記載した発明を特定するために必要な事項を限定するものであつて，その補正前の当該請求項に記載された発明とその補正後の当該請求項に記載される発明の産業上の利用分野及び解決しようとする課題が同一であるものに限る。）」に該当しない。また，上記補正の目的は，特許法第１７条の２第５項各号に掲げる他のいずれの事項にも該当しない。
　したがって，本件補正は，特許法第１７条の２第３項及び同第４項の規定には適合するものの，特許法第１７条の２第５項の規定に違反するので，同法第１５９条第１項において読み替えて準用する同法第５３条第１項の規定により却下すべきものである。
（２）独立特許要件について
　上記（１）のとおりであるが，更に進めて，仮に上記補正の目的が特許請求の範囲の減縮に該当するとした場合について，独立特許要件を満たしているか否かについて検討する。
ア　補正後の発明
　補正後の発明は，平成２６年７月１１日付け手続補正書により補正された特許請求の範囲の請求項１に記載された以下のとおりのものと認める。
「【請求項１】
　少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって，
　前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するステップと，
　前記複数のタップの各々の前記特性値の集合を少なくとも１つのベクトルにアレンジするステップと，
　ベクトルの階層コードブックの各レベルのうちのいずれかである第１レベルで複数のコードブック・ベクトルのうちの１つを選択することによって前記複数のタップの各々の前記特性値の集合がアレンジされた前記少なくとも１つのベクトルを量子化するステップと，
　複数のコードブック・ベクトルのうちの前記１つへのインデックスの指示を前記第１ネットワーク・ノードに提供するステップと
　を含む方法。」（再掲）
イ　引用発明及び周知技術
［引用発明］
　原査定の拒絶の理由に引用された国際公開第２００９／１５６３１９号（以下，「引用例」という。）には，「A METHOD FOR ALLOCATION OF PARAMETERS FOR RADIO TRANSMISSION IN A WIRELESS COMMUNICATION NETWORK USING CHANNEL FEEDBACK COMPRESSION, NETWORK ELEMENTS AND A WIRELESS COMMUNICATION NETWORK THEREFOR」（［当審仮訳］：チャネルフィードバックの圧縮，そのためのネットワーク要素および無線通信ネットワークを使用して無線通信ネットワークにおける無線送信のパラメータを割り当てるための方法）（［当審注］：［当審仮訳］は，引用例のパテントファミリーである特表２０１１−５２６１０８号公報の記載に基づく。）に関し，図面とともに以下の事項が記載されている。
　
（ア）「　In wireless communication systems like e.g. Third Generation Partnership Project Long Term Evolution (3GPP LTE) or Worldwide Interoperability for Microwave Access (WIMAX) , the usage of antenna diversity that is applied e.g. in multiple-input multiple-output (MIMO) technology offers a high data rate achieved e.g. by means of a high spectral efficiency and diversity.
　　Orthogonal frequency division multiplexing (OFDM) can be used e.g. in broadband MIMO systems to divide frequency selective channels into a set of narrowband flat-fading subchannels. Such flat-fading subchannels can be used e.g. in a network that applies interference coordination in order to achieve a high data rate.
　　For the optimization of a MIMO-OFDM system, information about amplitude and phase of the different channels are needed at the transmitter side. Such information are typically fed back inform of channel state information (CSI) from a receiver to a  transmitter. The channel state information (CSI) is required by nearly all MIMO algorithms at the transmitter side for allocation of parameters for radio transmission, as e.g. for choosing the appropriate antenna weights or modulation and coding schemes.
　　Due to frequency selectivity and temporal evolution of the channel on the one hand and the increased dimension by needing feedback for each transmitter antenna to receiver antenna link, this CSI feedback becomes very large, wasting uplink capacity for signaling load.
　　An approach according to the state of the art is to feed back for each pilot symbol a certain amount of bits, e.g. 16 bits, to obtain the complex coefficient of the channel transfer function for each channel. Thus, the amount of required feedback for this approach is extremely large.
　　Another standard approach is to transfer the channel into the time domain and feed back the channel impulse response (CIR) . Again this gives a quite large overhead required for feedback.
　　According to other prior art solutions, temporal or frequency resolution or the granularity of the complex coefficients of the channel transfer function that are fed back is reduced. However, there will then be a loss in accuracy which may lead to a non-appropriate allocation of parameters for radio transmission .
　　A method for reducing feedback in a MIMO-OFDM network according to the prior art uses vector quantization compression to limit the size of feedback data required to be sent to a transmitter for optimizing communications between MIMO-OFDM devices. In finite state vector quantization feedback, optimal precoding matrices are selected sequentially across subcarriers . After selecting the first precoding matrix from a codebook of a certain size, subsequent precoding matrices are  selected from a smaller time-varying codebook per subcarrier depending on prior decisions. Such a method for feedback reduction is e.g. described in the US patent application US 2007/0297529 Al.
　　However, this method reduces the feedback by means of reducing the size of the codebook per subcarrier and thus the needed amount of bits for feedback of the optimum precoding matrix instead of reducing the CSI feedback. If the MIMO algorithm that is used at the transmitter side needs CSI information in addition to information about the optimum precoding matrix, the huge amount of CSI feedback must be sent to the transmitter in addition to the information about the optimum precoding matrix.
　　So for all of the above mentioned approaches for channel feedback, it can be stated that either information is lost or the required feedback bandwidth is too high.
　　In order to have a high channel quality leading to a high data rate and at the same time enough uplink capacity for data transmission, reduction of the feedback of the channel state with low loss of significant information about the channel state is therefore required.
　　The object of the invention is thus to propose a method for allocation of parameters for radio transmission in a wireless , communication network based on information related to the channel state that is fed back from a receiver to a transmitter using feedback compression of said information with low loss of significant information.」（１ページ１０行〜３ページ２７行）
（［当審仮訳］：
　例えば３ＧＰＰ  ＬＴＥ（Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ，第３世代パートナーシップ・プロジェクト長期エボリューション）またはＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは，例えば多入力多出力（ＭＩＭＯ）技術に利用されるアンテナ・ダイバーシティを使用して，例えばスペクトル効率およびダイバーシティによって達成される高データレートを提供する。
　直交周波数分割多重（ＯＦＤＭ）が，例えばブロードバンドＭＩＭＯシステムで使用されて，周波数選択チャネルを狭帯域のフラットフェージング・サブチャネルのセットに分割することが可能である。このようなフラットフェージング・サブチャネルは，例えば高データレートを達成するために干渉調整を利用するネットワークにおいて使用されることが可能である。
　ＭＩＭＯ−ＯＦＤＭシステムの最適化のためには，送信側において，様々なチャネルの振幅および位相に関する情報が必要である。このような情報は，一般に受信機から送信機へチャネル状態情報（ＣＳＩ）の形式でフィードバックされる。チャネル状態情報（ＣＳＩ）は，例えば適切なアンテナウェイト，または変調および符号化方式を選択するためのように，無線伝送のパラメータを割り当てるために，送信機側においてほぼすべてのＭＩＭＯアルゴリズムによって要求される。
　一方では，周波数選択度およびチャネルの時間的変化により，ならびに各送信アンテナから受信アンテナへのリンクに対してフィードバックを必要とすることによる大きさの増大により，ＣＳＩフィードバックは非常に大きくなり，シグナリング負荷のためにアップリンク容量を浪費する。
　最新技術による手法は，各チャネルに対してチャネル伝達関数の複素係数を取得するために，各パイロットシンボルに対してある一定量のビット，例えば１６ビットをフィードバックすることである。このように，この手法に必要とされるフィードバックの量は極めて大きい。
　別の標準的手法は，チャネルを時間領域に移し，チャネルインパルス応答（ＣＩＲ）をフィードバックすることである。やはりこれも，フィードバックに要するオーバーヘッドがかなり大きくなる。
　他の先行技術の解決法によれば，時間もしくは周波数分解能またはフィードバックされるチャネル伝達関数の複素係数の粒度は低減される。しかしながら，このとき精度が失われ，その結果として無線伝送のパラメータを不適切に割り当てることになる可能性がある。
　先行技術によるＭＩＭＯ−ＯＦＤＭネットワークにおけるフィードバックを削減するための方法は，ベクトル量子化圧縮を使用して，ＭＩＭＯ−ＯＦＤＭデバイス間の通信を最適化するために送信機へ送信されるよう要求されるフィードバックデータのサイズを制限する。有限状態のベクトル量子化フィードバックでは，最適なプリコーディング行列がサブキャリアを通して連続的に選択される。あるサイズのコードブックから第１のプリコーディング行列を選択した後に，事前の決定により，サブキャリアごとの時間変化がより小さいコードブックからその後のプリコーディング行列が選択される。フィードバックを削減するこのような方法は，例えば米国特許出願公開２００７／００２９７５２９号明細書に記載されている。
　しかしながら，この方法は，ＣＳＩフィードバックを削減する代わりに，サブキャリアごとのコードブックのサイズを削減する，ゆえに最適なプリコーディング行列のフィードバック用のビットの必要量を削減することによってフィードバックを削減する。送信機側で使用されるＭＩＭＯアルゴリズムが，最適なプリコーディング行列に関する情報に加えてＣＳＩ情報を必要とする場合，最適なプリコーディング行列に関する情報に加えて膨大な量のＣＳＩフィードバックが送信機に送信されなければならない。
　したがってチャネルフィードバックのための上述の手法のすべてについて，情報が失われるか，または必要とされるフィードバックの帯域幅が高すぎるかであると言うことができる。
　したがって，高データレートおよび同時にデータ伝送のための十分なアップリンク容量につながる高いチャネル品質を有するために，チャネル状態に関する重要な情報を低損失で，チャネル状態のフィードバックを削減することが必要とされている。
　ゆえに本発明の目的は，受信機から送信機へフィードバックされるチャネル状態に関連する情報に基づいて，重要な情報について低損失である前記情報のフィードバックの圧縮を利用した，無線通信ネットワークにおいて無線伝送のパラメータを割り当てるための方法を提案することである。）
（イ）「　Fig. 1 shows as an example a base station BS and a mobile terminal MS as part of a wireless communication network.
　　The base station BS comprises exemplarily two antennas Al and A2 that are adapted to transmit and receive radio signals.
　　The base station BS comprises the functionality of a base station of a network using radio transmission, i.e. the base station provides the possibility for mobile terminals to get connected to said network and for data exchange of said mobile terminals by means of radio transmission.
　　Furthermore, the base station BS according to the invention comprises at least one processing means adapted to receive at least one complex coefficient related to one or more time intervals of at least one channel impulse response with a power higher than a predefined threshold for at least one connection between an antenna of said base station and an antenna of a further network element, and allocate resources to said at least one connection based on the at least one channel impulse response that has a power higher than a predefined threshold.
　　The mobile terminal MS comprises exemplarily two antennas A3 and A4 that are adapted to transmit and receive radio signals.
　　The mobile terminal MS comprises the functionality of a mobile terminal for transmission and reception of signals in a network using radio transmission.
　　Furthermore, the mobile terminal MS according to the invention comprises at least one processing means adapted to determine the at least one channel impulse response in the time domain for at least one connection between an antenna of a further network element and an antenna of the mobile terminal MS, compare the power of said at least one channel impulse response with a predefined threshold, and transmit only the at least one complex coefficient related to one or more time intervals of said at least one channel impulse response with a power higher than said predefined threshold.
　　Each of the antennas A3 and A4 of the mobile terminal MS is connected to each of the base station BS by means of a MIMO channel CH13-CH24, which is symbolized by double arrows in fig. 1. The base station BS is in turn connected to a core network, which is not shown in fig. 1 for the sake of simplicity.
　　The base station BS sends data and pilots in downlink over each of said MIMO channels CH13-CH24. The principle downlink transmission is indicated by a dashed arrow from the base station BS to the mobile terminal MS in fig. 1. The mobile terminal MS receives said data and pilots and performs channel estimation preferably using said pilots, which results in a so- called channel transfer function (CTF) per antenna-to-antenna link, i.e. for each MIMO channel CH13-CH24, and per subcarrier. 
　　By means of an inverse fast Fourier transformation (IFFT) performed in the mobile terminal MS, said channel transfer function (CTF) can be transferred from the frequency domain into the time domain resulting in a channel impulse response (CIR) for each antenna-to-antenna-link. 」（５ページ３行〜６ページ２４行）
（［当審仮訳］：
　図１は，一例として，無線通信ネットワークの一部として基地局ＢＳおよび移動端末ＭＳを示す。
　基地局ＢＳは，例示的に無線信号を送受信するように構成された２つのアンテナＡ１およびＡ２を含む。
　基地局ＢＳは，無線伝送を使用するネットワークの基地局の機能を備え，すなわち基地局は，移動端末が上記ネットワークと接続できるように，また無線伝送によって上記移動端末のデータ交換ができるようにする。
　さらに本発明による基地局ＢＳは，上記基地局のアンテナとさらなるネットワーク要素のアンテナとの間の少なくとも１つの接続についてあらかじめ定義されたしきい値より高い電力を有する少なくとも１つのチャネルインパルス応答の１つまたは複数の時間間隔と関連する少なくとも１つの複素係数を受信し，あらかじめ定義されたしきいちより高い電力を有する少なくとも１つのチャネルインパルス応答に基づいて上記少なくとも１つの接続にリソースを割り当てるように構成された少なくとも１つの処理手段を含む。
　移動端末ＭＳは，例示的に無線信号を送受信するように構成された２つのアンテナＡ３およびＡ４を含む。
　移動端末ＭＳは，無線伝送を使用するネットワークにおいて信号を送受信するための移動端末の機能を含む。
　さらに，本発明による移動端末ＭＳは，さらなるネットワーク要素のアンテナと移動端末ＭＳのアンテナとの間の少なくとも１つの接続に対して時間領域において少なくとも１つのチャネルインパルス応答を測定し，上記少なくとも１つのチャネルインパルス応答の電力をあらかじめ定義されたしきい値と比較し，上記あらかじめ定義されたしきい値より高い電力を有する上記少なくとも１つのチャネルインパルス応答の１つまたは複数の時間間隔と関連する少なくとも１つの複素係数のみを送信するように構成された少なくとも１つの処理手段を含む。
　移動端末ＭＳのアンテナＡ３およびＡ４のそれぞれは，図１に両方向矢印で表されたＭＩＭＯチャネルＣＨ１３〜ＣＨ２４によって基地局ＢＳのそれぞれと接続される。基地局ＢＳは，次にコアネットワークに接続されるが，簡単にするためにこれは図１では示していない。
　基地局ＢＳは，上記ＭＩＭＯチャネルＣＨ１３〜ＣＨ２４のそれぞれを通じてダウンリンクにおいてデータおよびパイロットを送信する。基本的なダウンリンク伝送は，図１では基地局ＢＳから移動端末ＭＳまでの破線矢印で示されている。移動端末ＭＳは，上記データおよびパイロットを受信し，好ましくは上記パイロットを使用してチャネル推定を行い，その結果，アンテナ間のリンクごとに，すなわち各ＭＩＭＯチャネルＣＨ１３〜ＣＨ２４について，およびサブキャリアごとに，いわゆるチャネル伝達関数（ＣＴＦ）が得られる。
　移動端末ＭＳで行われる逆高速フーリエ変換（ＩＦＦＴ）によって，上記チャネル伝達関数（ＣＴＦ）は周波数領域から時間領域へ移すことが可能であり，その結果各アンテナ間のリンクについてチャネルインパルス応答（ＣＩＲ）が得られる。）
（ウ）「　In the first row of fig. 2, the amplitudes of the channel impulse response over the time are depicted for each antenna-to- antenna link, i.e. for each MIMO channel CH13-CH24. The channel impulse response for a certain MIMO channel from transmit antenna 1 to receive antenna m can be expressed by the channel impulse response function hi, m (t) according to the following formula :　
　　In the formula above, N is the number of impulses, τn  is the time delay of the impulse denoted with the number n, and ρl,m,mｅiφl,m,m  represents the complex coefficient of impulse number n that is defined by the amplitude ρl,m,m and the phase φl,m,m  .
　　A path profiling procedure performed in the mobile terminal MS similar to the procedure performed in Rake receivers is used to identify the most significant taps of the channel impulse response i.e. the taps which have the strongest power. Said taps are called fingers in the Rake receiver architecture.
　　In an embodiment of the invention, the amplitudes of the channel impulse response of each single antenna-to-antenna link are time-averaged, and the taps which have the strongest power are identified as fingers.
　　Path profiling according to the embodiment depicted in fig. 2 is realized by averaging the absolute values, i.e. the amplitudes, of the channel impulse response both over time and over all antenna-to-antenna links using a low pass filter, e.g. a first order infinitive impulse response filter.
　　Preferably said low pass filter is applied with a certain forgetting factor that weights importance of past and present data in the filtering process.
　　In an embodiment of the invention, when only one realization of the channel is needed for one instant, the low pass filtering is skipped.
　　Said averaging over time or antenna-to-antenna-links results in a channel impulse response that is free from fast fading components and is called power delay profile. Such a power delay profile, i.e. channel impulse response, that is averaged over time and antennas is shown in fig. 2.
　　In said power delay profile, the strongest taps can be assigned to fingers. All taps below a certain threshold, which is e.g. defined by a combination of noise level, interference level and a certain margin, or by the sensitivity level of the receiver in the mobile terminal MS, are deleted in order to avoid wasting feedback resources for noisy fingers. In fig. 2,  the threshold is indicated by a dashed line.
　　Preferably, in the finger assignment, a certain minimum distance between selected fingers is kept which is in the range of the OFDM sampling rate.
　　In an embodiment of the invention, the number of fingers that is allowed is a parameter to fine-tune the tradeoff between feedback reduction and complexity.
　　For the time intervals in which the amplitude of the channel impulse response that has been averaged over time and antennas is higher than said certain threshold, i.e. for the fingers, the complex coefficients of the channel impulse response are determined for each antenna-to-antenna-link. Preferably, the channel impulse response is time-averaged for each antenna-to- antenna-link before determination of said complex coefficients in said time intervals. In other words, the complex coefficients are taken at the delays τ of the assigned fingers from instantaneous channel impulse responses for each antenna-to- antenna-link.
　　Right at the bottom of fig. 2, the amplitudes of the complex coefficients　ρｎｅｉφｎ　of said fingers, i.e. of the channel impulse response in said time intervals, are depicted for each antenna- to-antenna link CH13-CH24 over the time. 
　　Said complex coefficients 　ρｎｅｉφｎ　of the fingers and their position in time, i.e. the delays τ of the fingers, are fed back from the mobile terminal MS to the base station BS preferably in a fast fading granularity, e.g. the complex coefficients 　ρｎｅｉφｎ　are  updated every millisecond or faster. The interval of updates of the complex coefficients 　ρｎｅｉφｎ　is preferably matched to the coherence time of the respective channel. The determination of the coherence time is e.g. based on an estimation of the velocity of the mobile terminal MS, which is in turn used for determination of the Doppler frequency.
　　Thus, a feedback compression effect comes from reducing the channel impulse response to a channel impulse response of the fingers, in which only the most significant multipath propagation components are contained.　」（６ページ２５行〜９ページ１４行）
（［当審仮訳］：
　図２の第１の列には，各アンテナ間のリンクについて，すなわち各ＭＩＭＯチャネルＣＨ１３〜ＣＨ２４について，時間によるチャネルインパルス応答の振幅が示されている。送信アンテナｌから受信アンテナｍまでのあるＭＩＭＯチャネルのチャネルインパルス応答は，次の式によるチャネルインパルス応答関数ｈｌ，ｍ（ｔ）で表されることが可能である：
（数式は省略）
　上式では，Ｎはインパルスの数であり，τｎは数ｎで示されるインパルスの時間遅延であり，ρｌ，ｍ，ｎｅｉφｌ，ｍ，ｎは，振幅ρｌ，ｍ，ｎおよび位相φｌ，ｍ，ｎで定義されるインパルス数ｎの複素係数を表す。
　レイク受信機で行われる手順と同様の移動端末ＭＳで行われるパスプロファイリング手順を使用して，チャネルインパルス応答の最も重要なタップ，すなわち最大の電力を有するタップを識別する。上記タップは，レイク受信機のアーキテクチャではフィンガと呼ばれる。
　本発明の一実施形態では，各単一のアンテナ間のリンクのチャネルインパルス応答の振幅が時間平均化され，最大電力を有するタップがフィンガとして識別される。
　図２に示す実施形態によるパスプロファイリングは，例えば一次不定詞インパルス応答フィルタなどのローパスフィルタを使用して，時間にわたって，かつすべてのアンテナ間のリンクにわたってチャネルインパルス応答の絶対値，すなわち振幅を平均化することによって実現される。
　好ましくは，上記ローパスフィルタは，フィルタリング処理において過去および現在のデータの重要性を重み付けする一定の忘却係数を用いて適用される。
　本発明の一実施形態では，１つの瞬間にチャネルを１つだけ実現する必要があるとき，ローパスフィルタは省かれる。
　時間またはアンテナ間のリンクにわたる上記平均化は，結果として高速フェージング成分がなく，電力遅延プロファイルと呼ばれるチャネルインパルス応答をもたらす。時間およびアンテナにわたって平均化されたこのような電力遅延プロファイル，すなわちチャネルインパルス応答が図２に示されている。
　上記電力遅延プロファイルでは，最大タップがフィンガに割り当てられることが可能である。例えばノイズレベル，干渉レベル，および一定のマージンの組合せによって定義された，または移動端末ＭＳ内の受信機の感度レベルによって定義された一定のしきい値を下回るすべてのタップは，ノイズ・フィンガのためにフィードバック・リソースを無駄にしないように削除される。図２では，しきい値は破線で示されている。
　好ましくは，フィンガの割当てにおいて，ＯＦＤＭサンプリングレートの範囲内である，選択されたフィンガ間のある一定の最小距離が維持される。
　本発明の一実施形態では，許容されるフィンガの数は，フィードバックの削減と複雑さとの折り合いを微調整するためのパラメータである。
　時間およびアンテナにわたって平均化されたチャネルインパルス応答の振幅が上記一定のしきい値より高い時間間隔について，すなわちフィンガについて，チャネルインパルス応答の複素係数が各アンテナ間リンクについて決定される。好ましくは，チャネルインパルス応答は，上記時間間隔において上記複素係数を決定する前に，各アンテナ間リンクについて時間平均化される。言い換えれば，複素係数は，各アンテナ間リンクについて瞬時チャネルインパルス応答から割り当てられたフィンガの遅延τで取得される。
　図２の下部には，時間による各アンテナ間リンクＣＨ１３〜ＣＨ２４について，上記フィンガの，すなわち上記時間間隔におけるチャネルインパルス応答の複素係数，ρｎｅｉφｎの振幅が示されている。
　フィンガの上記複素係数　ρｎｅｉφｎおよびその時間における位置，すなわちフィンガの遅延τは，好ましくは高速フェージングの粒度で移動端末ＭＳから基地局ＢＳへフィードバックされ，例えば複素係数ρｎｅｉφｎは，ミリ秒ごとに，またはより速く更新される。複素係数ρｎｅｉφｎの更新間隔は，それぞれのチャネルのコヒーレンス時間に一致することが好ましい。コヒーレンス時間の決定は，例えば移動端末ＭＳの速度の推定値に基づかれ，これはさらにドップラー周波数の決定に使用される。
　したがって，フィードバックの圧縮効果は，チャネルインパルス応答を，最も重要なマルチパス伝搬成分のみが含まれるフィンガのチャネルインパルス応答に削減することからもたらされる。）
　
（エ）「　　In a preferred embodiment, the finger delays, i.e. the position in time of the fingers, and their power or amplitude of the channel impulse response that is averaged over time or antenna links are fed back from the mobile terminal MS to the base station BS on a long-term basis e.g. in the order of seconds or hundreds of milliseconds, as said parameters are only slowly fading. Alternatively, the finger delays are fed back whenever a significant change in the power delay profile occurs .
　　In another preferred embodiment, the complex coefficients　ρｎｅｉφｎ　said fingers, i.e. of the channel impulse response in said time intervals of each antenna-to-antenna link, are composed of time-average values of the real amplitudes, i.e. the time-averaged power of said fingers, and variable complex parts of the complex coefficients　ρｎｅｉφｎ　of said fingers, which are faster fading than the time-averaged power of said fingers. Information about said time-average values of the real amplitudes  is fed back from the mobile terminal MS to the base station BS less frequent than the variable complex parts of the complex coefficients 　ρｎｅｉφｎ　of said fingers.
　　Thus, a further feedback compression effect makes use of the fact, that delays of said fingers and their average power are changing slowly, i.e. on a slowly fading timescale, and information about said delays of said fingers and their average power are reported less frequent less frequent than the variable complex parts of the complex coefficients　ρｎｅｉφｎ　of said fingers.
　　Preferably, the number of bits used for feedback of the variable complex parts of the complex coefficients　ρｎｅｉφｎ　of said fingers is reduced due to the fact that a part of the complex amplitude information is already contained in the average power of the fingers which is available on a long-term basis. In other words, the amount of bits used for feedback of the variable complex parts of the complex coefficients　ρｎｅｉφｎ　of said fingers is restricted to the amount of bits needed for indication of the maximum deviation of the time-average values of the  real amplitudes from the complex coefficients　ρｎｅｉφｎ　of said fingers in said time intervals.
Thus, another feedback compression effect is based on the fact, that the indication of the remaining fast fading variable complex parts of the complex coefficients　ρｎｅｉφｎ　of said fingers is reduced in number of bits because the average dynamic range is already contained in the average power of said fingers.
　　The information about the channel impulse response which is fed back from the mobile terminal MS to the base station BS is used by the base station BS to allocate parameters for radio  transmission, as e.g. antenna weights, modulation and coding  schemes or transmission power, to connections between antennas Al, A2 of the base station BS and antennas A3, A4 of the mobile terminal .
　　The invention is parameterizable in terms of number of fingers and number of bits used for feedback of the average power of the fingers and for the complex coefficients　ρｎｅｉφｎ　of said fingers .
　　Feedback compression as described above saves the valuable feedback bandwidth to allow data transmission in uplink instead of feedback of channel impulse response. As the invention is scalable and parameterizable, it allows to find the best tradeoff of performance and feedback quantity for each transmission scenario .」（９ページ１５行〜１１ページ１３行）
（［当審仮訳］：
　好ましい実施形態では，フィンガ遅延，すなわちフィンガの時間における位置，および時間またはアンテナリンクにわたって平均化されたチャネルインパルス応答のフィンガの電力もしくは振幅は，上記パラメータは単にゆっくりフェージングするので，例えば数秒もしくは数百ミリ秒のオーダーで，長期ベースで移動端末ＭＳから基地局ＢＳへフィードバックされる。あるいはフィンガ遅延は，電力遅延プロファイルにおける重大な変更が発生するときは必ずフィードバックされる。
　別の好ましい実施形態では，上記フィンガの，すなわち各アンテナ間リンクの上記時間間隔におけるチャネルインパルス応答の複素係数ρｎｅｉφｎは，実振幅の時間平均値，すなわち上記フィンガの時間平均電力，および上記フィンガの複素係数ρｎｅｉφｎの可変複素部分から成り，これは上記フィンガの時間平均電力よりも高速のフェージングである。実振幅の上記時間平均値に関する情報が，上記フィンガの複素係数ρｎｅｉφｎの可変複素部分より少ない頻度で移動端末ＭＳから基地局ＢＳへフィードバックされる。
　したがって，さらなるフィードバックの圧縮効果は，上記フィンガの遅延とその平均電力はゆっくりと，すなわちゆっくりとフェージングする時間の尺度で変化しており，上記フィンガの上記遅延およびその平均電力に関する情報は，上記フィンガの複素係数ρｎｅｉφｎの可変複素部分より少ない頻度で報告されるという事実を利用する。
　好ましくは，上記フィンガの複素係数ρｎｅｉφｎの可変複素部分のフィードバックに使用されるビット数は，長期ベースで利用できるフィンガの平均電力の中にすでに複素振幅情報の一部が含まれているという事実により削減される。言い換えれば，上記フィンガの複素係数ρｎｅｉφｎの可変複素部分のフィードバックに使用されるビットの量は，上記時間間隔における上記フィンガの複素係数ρｎｅｉφｎから実振幅の時間平均値の最大偏差を示すために必要とされるビットの量に制限される。
　ゆえに，別のフィードバックの圧縮効果は，上記フィンガの複素係数ρｎｅｉφｎの残りの高速フェージング可変複素部分の表示が，平均ダイナミックレンジは上記フィンガの平均電力にすでに含まれているのでビットの数を削減されるという事実に基づいている。
　移動端末ＭＳから基地局ＢＳにフィードバックされるチャネルインパルス応答に関する情報は，例えばアンテナウェイト，変調および符号化方式，または伝送電力のような無線伝送のパラメータを，基地局ＢＳのアンテナＡ１，Ａ２と移動端末のアンテナＡ３，Ａ４との接続に割り当てるために，基地局ＢＳによって使用される。
　本発明は，フィンガの数，ならびにフィンガの平均電力のフィードバックおよび上記フィンガの複素係数ρｎｅｉφｎに使用されるビットの数でパラメータ化することができる。
上記のフィードバックの圧縮により，貴重なフィードバック帯域幅が節約されて，チャネルインパルス応答のフィードバックの代わりにアップリンクにおけるデータ伝送が可能になる。本発明は拡張可能およびパラメータ化可能であるので，本発明により各伝送シナリオについてパフォーマンスとフィードバックの量の最良の折り合いを見つけることができる。）
　上記（ア）〜（エ）の記載及び図面並びに当業者の技術常識を考慮すると，
ａ　上記（ア）（特に１，３，６段落目参照。）の記載によれば，多入力多出力（ＭＩＭＯ）技術を用いる無線通信システムにおいて，受信機から送信機へチャネル状態情報（ＣＳＩ）の形式でフィードバックすること，チャネルを時間領域に移してチャネルインパルス応答（ＣＩＲ）をフィードバックすることが読み取れる。そして，多入力多出力（ＭＩＭＯ）技術を用いる無線通信システムにおいては，多数の送信アンテナを有する送信機と多数の受信アンテナを有する受信機との間で送受信がなされることは明らかである。
　したがって，引用例には，多数の送信アンテナを有する送信機と多数の受信アンテナを有する受信機との間でフィードバックされる無線通信チャネルのチャネル状態情報をフィードバックする方法に関して記載されていると認められる。
ｂ　上記（イ）（特に４，７段落目参照。）の記載及びＦｉｇ．２によれば，移動端末ＭＳは，ネットワーク要素のアンテナと移動端末ＭＳのアンテナとの間の少なくとも１つの接続に対して時間領域において少なくとも１つのチャネルインパルス応答を測定し，上記少なくとも１つのチャネルインパルス応答の電力をあらかじめ定義されたしきい値と比較し，上記あらかじめ定義されたしきい値より高い電力を有する上記少なくとも１つのチャネルインパルス応答の１つまたは複数の時間間隔と関連する少なくとも１つの複素係数のみを送信するように構成された少なくとも１つの処理手段を含むものである。
　そして，上記（イ）（特に２，５，８〜１０段落目参照。）の記載及びＦｉｇ．２によれば，上記「ネットワーク要素のアンテナと移動端末ＭＳのアンテナとの間の少なくとも１つの接続」とは，ＭＩＭＯチャネルＣＨ１３〜ＣＨ２４のいずれか１つであると解される。
　さらに，上記（ウ），（エ）の記載及びＦｉｇ．２によれば，各単一のアンテナ間のリンクのチャネルインパルス応答の振幅が時間平均化され，移動端末ＭＳ内の受信機の感度レベルによって定義された一定のしきい値を下回るすべてのタップは，ノイズ・フィンガのためにフィードバック・リソースを無駄にしないように削除されるのであり，時間およびアンテナにわたって平均化されたチャネルインパルス応答の振幅が上記一定のしきい値より高い時間間隔について，すなわちフィンガ（タップ）について，チャネルインパルス応答の複素係数が各アンテナ間リンクについて決定され，フィンガの上記複素係数ρｎｅｉφｎおよびその時間における位置，すなわちフィンガの遅延τは，移動端末ＭＳから基地局ＢＳへフィードバックされるものである。
　したがって，引用例には，前記多数の受信アンテナによって前記チャネルを介して前記多数の送信アンテナから受信される信号から前記チャネル内の少なくとも１つのＭＩＭＯチャネルの時間領域で，時間およびアンテナにわたって平均化されたチャネルインパルス応答の振幅が一定のしきい値より高いタップの各々を判定し，当該タップのチャネルインパルス応答の複素係数ρｎｅｉφｎおよび遅延τを，移動端末ＭＳから基地局ＢＳへフィードバックすることが記載されていると認められる。
ｃ　上記ｂのとおりであるから，上記ａの「多数の送信アンテナを有する送信機」には「基地局ＢＳ」が例示され，「多数の受信アンテナを有する受信機」には「移動端末ＭＳ」が例示されていることは明らかである。
　以上を総合すると，引用例には以下の発明（以下，「引用発明」という。）が記載されていると認める。
「多数の送信アンテナを有する基地局ＢＳと多数の受信アンテナを有する移動端末ＭＳとの間でフィードバックされる無線通信チャネルのチャネル状態情報をフィードバックする方法であって，
　前記多数の受信アンテナによって前記チャネルを介して前記多数の送信アンテナから受信される信号から前記チャネル内の少なくとも１つのＭＩＭＯチャネルの時間領域で，時間およびアンテナにわたって平均化されたチャネルインパルス応答の振幅が一定のしきい値より高いタップの各々を判定し，
　当該タップのチャネルインパルス応答の複素係数ρｎｅｉφｎおよび遅延τを，移動端末ＭＳから基地局ＢＳへフィードバックする，
　方法。」
［周知技術］
　同じく原査定の拒絶の理由に引用されたNevio Benvenuto, Ermanna Conte, Stefano Tomasin, Matteo Trivellato，Joint Low-Rate Feedback and Channel Quantization for the MIMO Broadcast Channel（［当審仮訳］：ＭＩＭＯブロードキャストチャネルのための共同する低レートフィードバック及びチャネル量子化），AFRICON 2007，２００７年　９月，pp.1-7（以下，「周知例１」という。）には，図面とともに以下の事項が記載されている。
（オ）「
」（１ページ左欄１〜１５行）
（［当審仮訳］：
　要約　−　基地局（ＢＳ）がマルチユーザ送信（ブロードキャスト）するためにビームフォーミング構成において複数アンテナを用いる無線セルラシステムの下りリンクについて，
携帯端末でのチャネル状態情報を量子化し，それをＢＳにフィードバックする
チャネルベクトルの量子化とフィードバックシグナリングは，低レートフィードバック（ＦＢ）を得るために，共同で一緒に設計されている。
新たなメトリックにてチャネルベクトルのツリー構造ベクトル量子化器（ＶＱ）を検討する。ツリー検索が，時間的に変化する環境においても，ＦＢシグナリングレートを下げることができることがわかる。
（カ）「
」（１ページ左欄１６行〜同ページ右欄３２行）
（［当審仮訳］：
Ｉ．はじめに
　ＢＳアンテナの数と共に達成されるネットワークのスループットが直線的に増大するため，各移動端末（ＭＴ）が単一のアンテナを有する場合でも，次世代のセルラシステムの基地局（ＢＳ）には複数のアンテナが装備される。しかし，この潜在的に高いスループットを達成するために，多くの技術的問題に対処しなければならない。実際，送信機での干渉の削減に基く，最適なプリコーディング戦略，ダーティ・ペーパー符号化（ＤＰＣ） [1]は，計算上非常に高価である。ＤＰＣ [2]に近い性能を実現する簡単な解決策はビームフォーミングによって提供され，そこでは各ユーザの信号はすべてのアンテナ上で適切な複素重みを伴って送信される。
　しかし，この構成は，ＢＳが，各ＭＴに関して十分なチャネル状態情報（ＣＳＩ）を有する場合にのみ機能する。時分割複信が用いられる場合には，ＢＳは，アップリンク送信からＣＳＩを取得することができる。周波数分割複信を採用された場合には，各ＭＴからＣＳＩを提供するよう，明示的なフィードバック（ＦＢ）チャネルが設定されなければならない。ＣＳＩは，送信及び受信アンテナの数，チャネル遅延拡散，及びユーザ数の積に比例するので [3]，スループットよりもはるかに速く大きくなる。このため，ＭＴからＢＳへのＣＳＩ送信は，スループットの向上を達成するために，最適化されなければならない。本稿では，多数の文献と同様に，アンテナのカップルの間のチャネル利得が単一の複素数で表される，フラットフェージングチャネルに焦点を当てる。実際，これは，直交周波数分割多重（ＯＦＤＭ）に適用するための最初のステップである。
　
単一のアンテナのＭＴでは，チャネルは，複素数のベクトルによって記述され（ベクトルチャネルＶＣと表記される），ＢＳの各アンテナの利得に対応する。ＦＢ信号は，ＭＴとＢＳとの間で共有されたコードブックを用いてＶＣを量子化し，一定の時間スロット間隔でＢＳに量子化されたＶＣのインデックスを送信することにより得られる。
　ここでは，ＢＳがＭＴのサブセットを選択し，ゼロフォーシング・ビームフォーミングを行うダウンリンクシステムを考える。したがって，ユーザ間の干渉を低減するために，ＶＣとその量子化されたバージョンとの間の相互相関に基づくＶＱ基準が使用されている。これは信号対雑音プラス干渉比（ＳＮＩＲ）信号を最大にすることに対応している。さらに，コードブックは，効率的な増分ＦＢシグナリングを可能にするツリー構造を有している。さらに，多くの既存の文献に対する独自の特徴として，移動体セルラーシステムの３Ｇロングタームエボリューション（３Ｇ−ＬＴＥ） [9]のために，現実的な時間的に変化するチャネルを考える。
　この作業の主な貢献は，ＶＣの量子化とＦＢシグナル伝達の共同設計である。
第１に，各タイムスロットにおいてＣＳＩに関する増分情報がフィードバックされる，アップ又はダウン（ＵＤ）と呼ばれるＦＢシグナリング技術を提案する。ＢＳは，すべてのＦＢ信号を収集することによって，徐々にＶＣを洗練し追跡する。
　提案されたアーキテクチャを３Ｇ−ＬＴＥの既存のソリューションと比較するために大規模なシミュレーションを行い，
提案された戦略がＦＢ信号レートを大幅に低下させることを示した。
（キ）「
」（２ページ右欄下から８行〜３ページ左欄１１行）
（［当審仮訳］：
ＩＩＩ．　ツリー探索のＦＢ
　[11]  ，[10] では，コードブックは，Ｍ次元単位球面上の等方性分布からランダムに選択された２ｂ個のベクトルの集合である。言い換えれば，ランダムなベクトル量子化器（ＲＶＱ）が使用される。
ＭＴｋは，正規化されたＶＣｈ
〜
ｋ
をコードベクトルに量子化し，そのインデックスのｂビットが各スロットでフィードバックされる。
　この目的のために，共同するコードブック設計とＦＢ戦略を提案する。まず，
ベクトル量子化器のツリー記述と増分ＦＢ戦略に基づく，アップ又はダウン（ＵＤ）検索技術を紹介する。
　ＵＤ検索では，ＭＴｋは，ｈ
〜
ｋ
を，単位ノルムコードベクトル　Ｃ＝｛ｃ
１
，・・・，ｃ
Ｎ
｝　Ｎ＝２
Ｂ
　（１０式）のコードブックから選択された単位ノルムベクトルｈ＾
ｋ
に量子化する。
（（１１）式は省略）　）
（ク）「
（中略）
（中略）
」（３ページ左欄１２行，３５〜３７行，４２行〜末行）
（［当審仮訳］：
Ａ．コードブック設計
（中略）
　
このバイナリー構築手順は，ｉレベルで２
ｉ
個の要素からなる最適コードブックの符号語を有する，Ｂレベルの二分木で表すことができる。
（中略）
　
各コードベクトルのバイナリ表現（符号語）は，１つのビットをノードから出る２つのブランチのそれぞれに対応付け，根からそのノード自体に先立つブランチ上でｉビットを伴うｉレベルにおいてノードを識別することによって得られる。その結果，レベルｉのあるノードから出る部分木のすべてのノードが，同じｉ個の最上位ビットを持っている。ＶＣに関連するｉ＋１ビットの符号語は，ｉビットのＶＣ表現に１ビットを追加することによって得ることができる。
　さらに，後続のタイムスロットにおけるチャネルのわずかな変化は，おそらく，同じ最上位ビットでコードワードにつながる。この特徴は，ＵＤシグナリングの重要な側面である。　）
（ケ）「
」（３ページ右欄１〜２７ページ）
（［当審仮訳］：
ｂ．ＵＤフィードバック・シグナリング
　スロットｎ−１で，ＢＳ及びＭＴｋの双方が，可変長Ｌｓ（ｎ−１）のバイナリ・ワードで表される，再生したＶＣｈ−ｋ（ｎ−１）を共有すると仮定する。
　スロットｎにおいて，ＭＴｋはｈ〜ｋ（ｎ）をｈ＾ｋ（ｎ）に量子化し，ｈ＾ｋ（ｎ）とｈ−ｋ（ｎ−１）のバイナリ表現の最初のＬｓ（ｎ−１）ビットを比較する。この比較は，２つのシーケンスの間で一致する（Ｄｏｗｎケース），又は一致しない（Ｕｐケース）に対応する，２つの場合を導く。ｉｋ（ｎ） がタイムスロットｎにおいてＭＴｋによりフィードバックされたｂビットのバイナリ・ワードであるとする。第１ビットｉｋ，１（ｎ）は，Ｕｐ又はＤｏｗｎの場合を表す。次のビットは，次のように決定される。
・Ｄｏｗｎケース
　ＣＳＩは，Ｂビットコードワードの更にｂ−１ビットをフィードバックすることにより洗練される。これらの追加のビットは，量子化ツリーをｂ−１レベルダウンすることによって得られる。これは，ｈ＾
ｋ
（ｎ）に関連するＢビットのコードワードの　Ｌ
ｓ
（ｎ−１）＋１，・・・，Ｌ
ｓ
（ｎ−１）−ｂ＋１　の位置のビットをフィードバックすることによって行われる。なおまた，Ｌ
ｓ
（ｎ）＝Ｌ
ｓ
（ｎ−１）＋ｂ−１。
・Ｕｐケース
　ＣＳＩは更新されなければならず，ｈ＾
ｋ
（ｎ）に関連するＢビットのコードワードのｂ−１ビット　Ｌ
ｓ
（ｎ−１）−２（ｂ−１）＋１，・・・，Ｌ
ｓ
（ｎ−１）−ｂ＋１　がＢＳにフィードバックされる。現在，Ｌ
ｓ
（ｎ）＝Ｌ
ｓ
（ｎ−１）−ｂ＋１
　提案するアルゴリズムは，ｂ−１≦Ｌｓ（ｎ）＜Ｂとの境界条件を課すことを説明するために，簡単に一般化することができる。このシンプルな戦略のおかげで，１つのフラグビットのオーバーヘッドのコストだけでチャネル変動を追跡することができる。　）
　本願の優先日前に公知となったAlcatel-Lucent, Alcatel-Lucent Shanghai Bell，Signalling Aspects of Adaptable Codebooks（［当審仮訳］：適応コードブックのシグナリング側面）， 3GPP TSG RAN WG1 #58bis R1-093776，２００９年１０月５日（媒体に表示された日付），
 http://www.3gpp.org/DynaReport/TDocExMtg--R1-58b--27333.htm（以下，「周知例２」という。）には，図面とともに以下の事項が記載されている。
（コ）「1.　Introduction
　　In [1] a broad framework for the evolution of MU-MIMO in LTE-A is presented. It is shown there how the ability to adapt the CSI feedback codebook is important for support of MU-MIMO in the range of scenarios and antenna configurations likely to be encountered.　（中略） 
　　This contribution provides some more details on codebook adaptation. It focuses on the crucial aspects related to signalling, especially the efficient implementation of information transfers related to adaptable codebooks. 
　　The remainder of this document is structured as follows. Section 2 analyses the information flows needed to adapt a codebook. Section 3 takes a closer look at the download information that forms a crucial part of the necessary signalling procedures. Section 4 considers how the overhead can be kept low. Section 5 proposes how to proceed in RAN1. 　」（１／４ページ７〜１０行，１３〜１９行）
（［当審仮訳］：
１．はじめに
　[1] では，ＬＴＥ−ＡにおけるＭＵ−ＭＩＭＯの進化のための広範な枠組みが提示された。そこでは，直面する可能性が高いシナリオ及びアンテナ構成の範囲内で，ＭＵ−ＭＩＭＯのサポートのために，ＣＳＩフィードバック・コードブックを適応する能力が，いかに重要であるかが示されている。（中略）　
　本寄稿は，コードブックの適応に関するいくつかの詳細を提供する。これは，シグナリングに関連する重要な側面，特に適応可能なコードブックに関連する情報転送の効率的な実施に焦点を当てる。
　本稿の残りの部分は以下のように構成されている。第２節では，コードブックを適応させるために必要な情報フローを分析する。第３節では，必要なシグナリング手順の重要な部分を構成するダウンロード情報を詳しく検討している。
第４節では，どのようにしてオーバーヘッドが低く抑えることができるかを考案する。
（サ）「4.　Consideration of overhead of proposed signalling schemes
　　Taking implicit downloading of new codebooks as a reasonable balance between signalling overhead and adaptability, a variety of models and related structures can be envisaged. An overview and short discussion is given below. 
（中略）　
・　Hierarchical structure
　　An especially powerful scheme is depicted in Figure 1. In this structure the codebook entries are organised in hierarchical levels. As discussed in [4], such codebook structures can enable the UE feedback to be aggregated over multiple reports, giving more accurate knowledge of the MIMO channel at the NodeB and resulting in improved throughput. By aggregating the feedback over multiple reports, the codewords can be arranged in a hierarchical structure so that the feedback in one report indicates a “child” of a codeword indicated by previous feedback. The combination of level and offsets in such a codebook allows for very compact and efficient algorithms for download and feedback. 
　」（２／４ページ２８〜３１行，同３９行〜３／４頁３行）
（［当審仮訳］：
４．提案されたシグナリング方式のオーバーヘッドの考察
　シグナリングオーバーヘッドと適応性との間の合理的なバランスとして，新しいコードブックの暗黙のダウンロードをとると，モデル及び関連する構造の多様性を想定することができる。概要と短い議論は以下のとおり。
（中略）
・階層構造
　特に強力なスキームが図１に示されている。
この構造では，コードブックのエントリが階層的レベルに構成されている。
このようなコードブック構造は，ＵＥからのフィードバックを複数のレポートに渡って集約することができ，ノードＢでのＭＩＭＯチャネルのより正確な知識を与え，結果としてスループットが改善される。フィードバックを複数のレポートに渡って集約することにより，１つのレポートのフィードバックが前のフィードバックによって示される符号語の「子」を示すように，コードワードは階層構造に配置されることができる。
（図は省略）
図１：階層構造　　）
　本願の優先日前に頒布されたMatteo Trivellato, Federico Boccardi, Howard Huang，On transceiver design and channel quantization for downlink multiuser MIMO systems with limited feedback（［当審仮訳］：制限されたフィードバックを，ダウンリンクマルチユーザMIMOシステムのためのトランシーバ設計およびチャネル量子化について），IEEE Journal on Selected Areas in Communications, vol.26, No.8，２００８年１０月，pp.1494-1504（以下，「周知例３」という。）には，図面とともに以下の事項が記載されている。
（シ）「Abstract − We consider a MIMO broadcast channel where both the transmitter and receivers are equipped with multiple antennas. Channel state information at the transmitter (CSIT) is obtained through limited (i.e., finite-bandwidth) feedback from the receivers that index a set of precoding vectors contained in a predefined codebook. We propose a novel transceiver architecture based on zero-forcing beamforming and linear receiver combining.　（中略）　We also propose a design methodology for generating codebooks tailored for arbitrary spatial correlation statistics. The resulting codebooks have a tree structure that can be utilized in time-correlated MIMO channels to significantly reduce feedback overhead.　」（１４９４頁左欄１〜８行，同１４〜１８行）
（［当審仮訳］：
　要約　−　送信機と受信機の双方に複数のアンテナが装備されているＭＩＭＯブロードキャストチャネルを考える。送信機（ＣＳＩＴ）におけるチャネル状態情報は，事前定義されたコードブックに含まれるプリコーディング・ベクトルのセットを索引付けする，受信機からの制限された（すなわち，有限の帯域幅）のフィードバックにより得られる。ゼロフォーシング・ビームフォーミング及び線形受信機の組み合わせに基づいて，新たな送受信機アーキテクチャを提案する。　（中略）　また，任意の空間相関統計に合わせたコードブックを生成するための設計手法を提案する。
得られたコードブックは，フィードバック・オーバーヘッドを大幅に減らすよう，時間相関ＭＩＭＯチャネルで利用することができる，ツリー構造を有する。
（ス）「
（中略）
（中略）
」（１５００頁左欄１６〜２７行，同４０〜４３行，同４９行〜同ページ右欄４０行）
（［当審仮訳］：
Ｂ．ＬＢＧベースのコードブックの代替ツリー構造及び階層フィードバック
　
ＭＩＭＯチャネルが十分にゆっくりと変化している場合は，モバイルＣＤＩフィードバックは，複数のフィードバック間隔にわたって集約されることができ，集約されたビットはより大きなコードブックを索引付けする。一般に，大きなコードブックは，送信機においてＭＩＭＯチャネルのより正確な知識を意味し，結果としてスループットの向上が得られる。複数の間隔にわたってフィードバック・ビットを集約することによって，所与の間隔におけるフィードバックが前のフィードバックによって索引付けされた符号語の「子ノード」であるコードワードのインデックスとなるように，コードワードは階層ツリー構造に配置され得る。
（中略）
　このバイナリー構築手順は，ｉレベルで２ｉ個の要素からなる最適コードブックの符号語を有する，Ｂｍａｘレベル（Ｂｍａｘは量子化ビットの最大値を表す）の二分木で表すことができる。
（中略）
　図１に示すように，Ｂｍａｘ＝６の場合，各コードベクトルのバイナリ表現（符号語）は，１つのビットをノードから出る２つのブランチのそれぞれに対応付け，根からそのノード自体に先立つブランチ上でｉビットを伴うｉレベルにおいてノードを識別することによって得られる。その結果，レベルｉのあるノードから出る部分木のすべてのノードが，同じｉ個の最上位ビットを持っている。ＶＣに関連するｉ＋１ビットの符号語は，ｉビットのＶＣ表現に１ビットを追加することによって得ることができる。
　さらに，後続のタイムスロットにおけるチャネルのわずかな変化は，おそらく，同じ最上位ビットでコードワードにつながる。時間相関ＭＩＭＯチャネルにおけるフィードバックのオーバーヘッドを減らすために，各コヒーレンス間隔で最も重要なＢビットをフィードバックする（基本的なフィードバック（ＢＦＢ）と呼ぶ）代わりに，前のチャネルベクトルを更新するために利用可能なフィードバックビットを使用する。
　スロットｎ−１で，ＢＳ及びＭＴｋの双方が，可変長Ｌｓ（ｎ−１）のバイナリ・ワードで表される，再生したベクトル状態ｖ−ｋ（ｎ−１）を共有すると仮定する。スロットｎにおいて，ＭＴｋは，ツリー探索を使用して，現在のチャネルの現実化Ｈｋ（ｎ）としてＢｍａｘビットの最適コードワードｖ＾ｋ（ｎ）を選択し，ｖ＾ｋ（ｎ）とｖ−ｋ（ｎ−１）のバイナリ表現の最初のＬｓ（ｎ−１）ビットを比較する。この比較は，２つのシーケンスの間で一致する（Ｄｏｗｎケース），又は一致しない（Ｕｐケース）に対応する，２つの場合を導く。ｉｋ（ｎ） がタイムスロットｎにおいてＭＴｋによりフィードバックされたＢビットのバイナリ・ワードであるとする。第１ビットｉｋ，１（ｎ）は，Ｕｐ又はＤｏｗｎの場合を表す。次のビットは，次のように決定される。
・Ｄｏｗｎケース
　ＣＳＩは，Ｂ
ｍａｘ
ビットコードワードの更にＢ−１ビットをフィードバックすることにより洗練される。これらの追加のビットは，量子化ツリーをＢ−１レベルダウンすることによって得られる。これは，ｖ＾
ｋ
（ｎ）に関連するＢビットのコードワードの　Ｌ
ｓ
（ｎ−１）＋１，・・・，Ｌ
ｓ
（ｎ−１）−Ｂ＋１　の位置のビットをフィードバックすることによって行われる。なおまた，Ｌ
ｓ
（ｎ）＝Ｌ
ｓ
（ｎ−１）＋Ｂ−１。
・Ｕｐケース
　ＣＳＩは更新されなければならず，ｖ＾
ｋ
（ｎ）に関連するＢ
ｍａｘ
ビットのコードワードのＢ−１ビット　Ｌ
ｓ
（ｎ−１）−２（Ｂ−１）＋１，・・・，Ｌ
ｓ
（ｎ−１）−Ｂ＋１　がＢＳにフィードバックされる。現在，Ｌ
ｓ
（ｎ）＝Ｌ
ｓ
（ｎ−１）−Ｂ＋１。
　提案するアルゴリズム（階層的フィードバック（ＨＦＢ）と呼ぶ）は，Ｂ−１≦Ｌｓ（ｎ）≦Ｂｍａｘとの境界条件を課すことを説明するために，簡単に一般化することができる。このシンプルな戦略のおかげで，１つのフラグビットのオーバーヘッドのコストだけでチャネル変動を追跡することができる。　）
　上記（オ）〜（ス）の記載及び図面並びに当業者の技術常識を考慮すると，
　「ベクトル量子化によりチャネル状態情報のフィードバックのオーバーヘッドを低減すること。」は周知であると認められる（以下，「周知技術１」という。）。
　また，「チャネルが十分にゆっくり変化しつつある場合の仮定の下に，フィードバックを複数のフィードバック間隔にわたって集計し，その結果，集計されたビットが，より大きいコードブックをインデクシングするようになるバイナリ・ツリー（２進木）構造の階層コードブックを使用する階層的ベクトル量子化。」も周知であると認められる（以下，「周知技術２」という。）。
ウ　対比・判断
　補正後の発明と引用発明とを対比すると，
（ア）引用発明の「基地局ＢＳ」，「移動端末ＭＳ」を，それぞれ「第１ネットワーク・ノード」，「第２ネットワーク・ノード」と称することは任意である。したがって，以下の相違点１は別として，両者は「多数の送信アンテナを有する第１ネットワーク・ノードと多数の受信アンテナを有する第２ネットワーク・ノードとの間で提供される無線通信チャネルのチャネル状態情報を提供する方法」である点で共通している。
（イ）本願明細書【０００３】によれば，補正後の発明の「サブチャネル」は，Ｍ個の送信アンテナとＮ個の受信アンテナとの間のＮ×Ｍ個のリンク（ＭＩＭＯ無線チャネル）であるから，引用発明の「前記チャネル内の少なくとも１つのＭＩＭＯチャネル」は，補正後の発明の「前記チャネル内の少なくとも１つのサブチャネル」に相当する。
（ウ）本願明細書【００４６】によれば，補正後の発明の「前記チャネル内の少なくとも１つのサブチャネルの時間領域で分解可能な複数のタップの各々の特性値を判定する」は，「基地局２０のアンテナとユーザ機器３０のアンテナとの間の少なくとも１つのサブチャネルに関する時間領域での少なくとも１つのチャネル・インパルス応答を判定し，タップを識別するために前記少なくとも１つのチャネル・インパルス応答を事前定義のしきい値と比較し，前記事前定義のしきい値より大きい電力を有する少なくとも１つのチャネル・インパルス応答の１つまたは複数の時間間隔に関連する少なくとも１つの複素係数すなわち解決可能なタップのそれぞれの係数だけを判定する」ことを含むと認められる。
　そして，当該判定処理の具体的内容は，本願明細書【００４８】〜【００５７】及び図２に「タップ特性判定」として開示されているところ，その内容は引用例の開示内容（上記「イ　引用発明及び周知技術」の項の［引用発明］の（ウ），（エ）及び引用例のＦｉｇ．２参照。）と共通している。
　したがって，引用発明の「前記多数の受信アンテナによって前記チャネルを介して前記多数の送信アンテナから受信される信号から前記チャネル内の少なくとも１つのＭＩＭＯチャネルの時間領域で，時間およびアンテナにわたって平均化されたチャネルインパルス応答の振幅が一定のしきい値より高いタップの各々を判定し」は，以下の相違点１は別として，補正後の発明の「前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するステップ」に対応している。
（エ）補正後の発明と引用発明とは，以下の相違点２は別として，「前記判定に基づいて無線通信チャネルのチャネル状態情報を提供するステップ」を含む点で共通している。
　以上を総合すると，補正後の発明と引用発明とは，以下の点で一致し，また，相違している。
（一致点）
「多数の送信アンテナを有する第１ネットワーク・ノードと多数の受信アンテナを有する第２ネットワーク・ノードとの間で提供される無線通信チャネルのチャネル状態情報を提供する方法であって，
　前記多数の受信アンテナによって前記チャネルを介して前記多数の送信アンテナから受信される信号から前記チャネル内の少なくとも１つのサブチャネルの時間領域で分解可能な複数のタップの各々の特性値を判定するステップと，
　前記判定に基づいて無線通信チャネルのチャネル状態情報を提供するステップと
　を含む方法。」
（相違点１）
　一致点の「多数の送信アンテナ」及び「多数の受信アンテナ」に関し，補正後の発明は「少なくとも１つの送信アンテナ」及び「少なくとも１つの受信アンテナ」であり，アンテナが１つのみの場合を含むのに対し，引用発明は当該場合を含まない点。
（相違点２）
　一致点の「前記判定に基づいて無線通信チャネルのチャネル状態情報を提供する提供するステップ」に関し，補正後の発明は，更に「前記複数のタップの各々の前記特性値の集合を少なくとも１つのベクトルにアレンジするステップ」と「ベクトルの階層コードブックの各レベルのうちのいずれかである第１レベルで複数のコードブック・ベクトルのうちの１つを選択することによって前記複数のタップの各々の前記特性値の集合がアレンジされた前記少なくとも１つのベクトルを量子化するステップ」とを有し，「複数のコードブック・ベクトルのうちの前記１つへのインデックスの指示を前記第１ネットワーク・ノードに提供するステップ」であるのに対し，引用発明は「当該タップのチャネルインパルス応答の複素係数ρｎｅｉφｎおよび遅延τを，移動端末ＭＳから基地局ＢＳへフィードバックする」ものであり，階層的ベクトル量子化を行いインデックスの指示を提供するものではない点。
　以下，各相違点について検討する。
（相違点１について）
　補正後の発明の「少なくとも１つ」は，「多数」を含むのであるから，相違点１には実質的な差異があるとはいえない。
　また，本願明細書【０００２】〜【０００４】，【００４４】の記載及び図１，図２を参酌すれば，補正後の発明のチャネル状態情報の提供はＭＩＭＯを前提としていることは明らかであるが，アンテナが１つのみの場合においてもチャネル状態情報は有用であるから，「少なくとも１つのアンテナ」とすることは格別困難なことではなく，適宜なし得ることに過ぎない。
（相違点２について）
　ベクトル量子化によりチャネル状態情報のフィードバックのオーバーヘッドを低減することは，引用例においても先行技術として言及しており（上記「イ　引用発明及び周知技術」の項の［引用発明］の（ア）の第８段落参照。），また，周知技術１のとおり，普通に行われていることである。
　そして，ベクトル量子化を用いたフィードバックは，送信側と受信側とでコードブックを共有し，コードブックのインデクスの指示をフィードバックするものであるが，周知技術２のとおり，チャネルが十分にゆっくり変化しつつある場合の仮定の下に，フィードバックを複数のフィードバック間隔にわたって集計し，その結果，集計されたビットが，より大きいコードブックをインデクシングするようになるバイナリ・ツリー（２進木）構造の階層コードブックを使用することも，周知である。
　ここで，補正後の発明の「前記複数のタップの各々の前記特性値の集合を少なくとも１つのベクトルにアレンジするステップ」は，ベクトル量子化を採用する際のベクトル化を意味していることは明らかである。また，本願明細書の【００５８】〜【００８６】の記載，図３〜図５によれば，補正後の発明の「ベクトルの階層コードブックの各レベルのうちのいずれかである第１レベルで複数のコードブック・ベクトルのうちの１つを選択することによって前記複数のタップの各々の前記特性値の集合がアレンジされた前記少なくとも１つのベクトルを量子化するステップ」は，バイナリ・ツリー（２進木）構造の階層コードブックを使用した際の各フィードバック間隔における量子化動作を意味することは明らかである。
　そして，引用例の記載（上記「イ　引用発明及び周知技術」の項の［引用発明］の（ア）の第４〜６段落等参照。）によれば，引用発明はチャネル状態情報のフィードバックのオーバーヘッドを低減することを目的としていると認められる。
　してみると，引用発明において，タップのチャネルインパルス応答の複素係数ρｎｅｉφｎおよび遅延τのフィードバックに当たり，更なるフィードバックのオーバーヘッドの低減のために，周知技術であるベクトル量子化及び階層コードブックを採用することは，格別困難なことではない。
　したがって，相違点２は，当業者が容易になし得ることであり，その作用効果も，引用発明及び周知技術に基づいて当業者が予測できる範囲のものである。
　なお，請求人は，審判請求書において，「即ち，引用文献１は，各々のチャネルが単一の複素数で表されるフラットフェージングチャネルを前提とするものであり，周波数選択性フェージングに関するものである引用文献２において解決しようとする課題は，引用文献１では生じないため，引用文献１と引用文献２とを組み合わせる動機付けが存在しません。また，引用文献１は，フラットフェージングチャネルを表すための量子化メカニズムに基づくコードブックを前提とし，コードブックの特別な値をどのようにして効率的に示すかという課題を扱うものであるのに対し，引用文献２は，コードブックや量子化やコードブックの値の指示を扱うものでは全くありません。従って，引用文献１と引用文献２とにより扱われる課題は全く別個のものであり，引用文献１と引用文献２とを組み合わせる動機付けが存在しません。」と主張しているが，拒絶理由通知の引用文献１−４に基づく拒絶理由においては引用文献１（周知例１）は階層ベクトル量子化が周知であることを示すために提示されたものであり，引用文献１（周知例１）の記載（上記「イ　引用発明及び周知技術」の項の［周知技術］の（カ）等参照。）によればＦＢレートを大幅に低減することを意図しており，引用文献２（引用例）も引用文献１（周知例１）もチャネル状態情報のフィードバックのオーバーヘッドを低減すること（引用文献１）を目的としているといえるから，動機付けが存在しないとはいえない。したがって，当該主張は採用できない。
　以上のとおり，補正後の発明は，引用発明及び周知技術に基づいて当業者が容易に発明をすることができたものであるから，特許法第２９条第２項の規定により特許出願の際独立して特許を受けることができないものである。
３　結語
　以上のとおり，本件補正は，特許法第１７条の２第５項，特許法第１７条の２第６項において準用する同法第１２６条第７項の規定に違反するので，同法第１５９条第１項の規定において読み替えて準用する同法第５３条第１項の規定により却下すべきものである。
第３　本願発明について
１　本願発明
　平成２６年７月１１日付けの手続補正は上記のとおり却下されたので，本願発明は，平成２５年１２月１１日付けの手続補正により補正された特許請求の範囲の請求項１に記載された以下のとおりのものと認める。
「【請求項１】
　少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって，
　前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するステップと，
　前記特性値の集合を少なくとも１つのベクトルにアレンジするステップと，
　ベクトルの階層コードブックの各レベルのうちのいずれかである第１レベルで複数のコードブック・ベクトルのうちの１つを選択することによって前記少なくとも１つのベクトルを量子化するステップと，
　複数のコードブック・ベクトルのうちの前記１つへのインデックスの指示を前記第１ネットワーク・ノードに提供するステップと
　を含む方法。」（再掲）
２　引用発明及び周知技術
　引用発明及び周知技術は，上記「第２　補正却下の決定」の項中の「２　補正の適否」の項中の「（２）独立特許要件」の項中の「イ　引用発明及び周知技術」の項で認定したとおりである。
３　対比・判断
　そこで，本願発明と引用発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明及び周知技術に基づいて容易に発明できたものであるから，本願発明も同様の理由により，容易に発明できたものである。
　また，上記「第２　補正却下の決定」の項中の「２　補正の適否」の項中の「（１）新規事項の有無，シフト補正の有無，目的要件等について］の項で述べたとおり，本願発明と補正後の発明とは実質的に差異は無いから，本願発明も同様の理由により，容易に発明できたものである。
４　むすび
　以上のとおり，本願発明は，引用発明及び周知技術に基づいて当業者が容易に発明をすることができたものであるから，特許法第２９条第２項の規定により，特許を受けることができない。
　よって，結論のとおり審決する。